(57)【要約】【課題】一般的な差込プラグに対応可能であり、また、長さ寸法が異なる複数種の差込プラグにも対応が可能な差込プラグの抜け止め機能を有するコンセントを提供すること。【解決手段】本発明は、差込プラグ本体Ｂの一端側から突出した栓刃Ｐｅが差し込まれる差込口３３と、この差込口３３に栓刃Ｐｅが差し込まれた差込プラグ本体Ｂの他端側に対向し、栓刃Ｐｅが差込口３３から抜けないように抜け止めをなすとともに、栓刃Ｐｅの挿抜方向に位置調整が可能なストッパ部材２２とを備えるコンセントである。【選択図】図６
2012238419.tif 000002
【特許請求の範囲】
【請求項１】
差込プラグ本体の一端側から突出した栓刃が差し込まれる差込口と；
この差込口に栓刃が差し込まれた差込プラグ本体の他端側に対向し、栓刃が差込口から抜けないように抜け止めをなすとともに、栓刃の挿抜方向に位置調整が可能なストッパ部材と；
を具備することを特徴とするコンセント。
【請求項２】
前記ストッパ部材には、プラグ本体の他端側から導出されたコードの前面側への動きを規制する規制手段が設けられていることを特徴とする請求項１に記載のコンセント。
【請求項３】
前記差込口は、複数個設けられており、この複数個の差込口に対応して、それぞれストッパ部材が配設されていることを特徴とする請求項１又は請求項２に記載のコンセント。
【発明の詳細な説明】
【技術分野】
【０００１】
本発明の実施形態は、差込プラグ本体の栓刃が差込口から抜けないように抜け止め機能を有するコンセントに関する。
【背景技術】
【０００２】
従来、コンセントとして例えば、防水コンセントは、屋外の壁面等に備え付けられ、コンセントの差込口に差込プラグの栓刃が差し込まれて、コンセント側から差込プラグ側に電力が供給される。
【０００３】
この場合、コンセントの差込口から差込プラグの栓刃が抜けてしまうのを防止するため、差込プラグの栓刃を差込口に差し込んだ後、所定の角度回動することにより、抜け止め機構が機能して差込プラグの抜け止めがなされるようになっている。この抜け止め機構は、差込プラグの栓刃に形成された孔に、コンセントの差込口側における刃受に形成された突起が弾性係合して抜け止めがなされる構成となっている。
【０００４】
ところが、このようなコンセントは、差込プラグの挿抜回数が少ないことを前提として構成されており、差込プラグの挿抜回数が多くなると、抜け止め機構における弾性係合の係合力が低下し、このため、抜け止め機能が低下するという問題が発生する。
【０００５】
このような従来のコンセントに対し、差込プラグ及びコンセントを専用の形態として、差込プラグの本体部とコンセントの扉体とで抜け止め機構を構成するものが提案されている。
【先行技術文献】
【特許文献】
【０００６】
【特許文献１】特開２０１０−２５７９１８号公報
【特許文献２】実用新案登録第３０９７５６６号公報
【特許文献３】特開２００７−１８８７９４号公報
【発明の概要】
【発明が解決しようとする課題】
【０００７】
しかしながら、上記のような構成では、差込プラグ及びコンセントが専用の形態であり、一般的な差込プラグを用いる場合、差込プラグの抜け止めが困難であり、共通性がなく、適用対応性が低いという課題が生じる。
【０００８】
本発明は、上記問題点に鑑みなされたもので、一般的に用いられる差込プラグの形態に対応可能であり、また、長さ寸法が異なる複数種の差込プラグにも対応が可能な差込プラグの抜け止め機能を有するコンセントを提供することを目的とする。
【課題を解決するための手段】
【０００９】
本発明の実施形態によるコンセントは、差込プラグ本体の一端側から突出した栓刃が差し込まれる差込口と、この差込口に栓刃が差し込まれた差込プラグ本体の他端側に対向し、栓刃が差込口から抜けないように抜け止めをなすとともに、栓刃の挿抜方向に位置調整が可能なストッパ部材とを備えている。
【発明の効果】
【００１０】
本発明の実施形態によれば、長さ寸法が異なる複数種の差込プラグに対応が可能な差込プラグの抜け止め機能を有するコンセントを提供することができる。
【図面の簡単な説明】
【００１１】
【図１】本発明の実施形態に係るコンセントを示す斜視図である。
【図２】同コンセントにおいて抜け止め機構を取外して示す斜視図である。
【図３】同コンセントにおいて差込プラグが接続された状態でストッパ部材を取外して示す斜視図である。
【図４】同コンセントにおいてラッチ機構を一部断面で示す側面図である。
【図５】同コンセントにおいてストッパ部材の動作を模式的に示す側面図である。
【図６】同コンセントにおいて差込プラグが接続されている状態を模式的に示す側面図である。
【図７】同じく、コンセントにおいて差込プラグが接続されている状態を模式的に示す側面図である。
【図８】同コンセントにおいて抜け止め機構の動作を模式的に示す側面図である。
【図９】同じく、コンセントにおいて抜け止め機構の動作を模式的に示す側面図である。
【図１０】同コンセントの使用状態を示す説明図である。
【図１１】同じく、コンセントの使用状態を示す説明図である。
【発明を実施するための形態】
【００１２】
以下、本発明の実施形態に係るコンセントついて図１乃至図１１を参照して説明する。図１乃至図４は、コンセントの構成を示し、図５乃至図９は、主としてコンセントにおける抜け止め機構の動作を示し、図１０及び図１１は、コンセントの使用例を示している。なお、各図において同一部分には同一符号を付し、重複した説明は省略する。
図１乃至図４に示すように、コンセントは、屋外の壁面等に取付けられる防水コンセントであり、コンセント本体１と抜け止め機構２とを備えている。
【００１３】
コンセント本体１は、外筐３と、この外筐３内に配設されたコンセントボディ４と、防水パッキン５とから構成されている。外筐３は、ＡＡＳ樹脂等から形成され、ベース部３１及びこのベース部３１の略中央部から前面側へ山形状に突出した収容部３２を備えている。この収容部３２には、コンセントボディ４が収容されている。収容部３２の一側は、ベース部３１から起立するような平坦面が形成されており、この平坦面には、後述する差込プラグＰの栓刃Ｐｅが差し込まれる差込口３３が形成されている。
【００１４】
この差込口３３は、差込プラグＰにおける電源端子用の栓刃Ｐｅが差し込まれる図示上上下方向に平行状に形成された２つの電源接続用差込口３３ａと、アース端子用の栓刃Ｐｅが差し込まれるアース接続用差込口３３ｂとを備えている。また、電源接続用差込口３３ａ及びアース接続用差込口３３ｂの内部側には、それぞれ栓刃Ｐｅが挿入されて電気的に接続される図示しない刃受けが設けられている。
【００１５】
このような差込口３３は、前記平坦面に複数個、すなわち、並設するように一対設けられており、いわゆる平行プラグ形の差込プラグＰの栓刃Ｐｅが挿入されて差し込むことができるようになっている。
【００１６】
コンセントボディ４は、前記のように外筐３の収容部３２内に配設されており、差込プラグＰの栓刃Ｐｅを受ける刃受けや電源線及びアース線が接続される接続端子を備えている。
【００１７】
外筐３におけるベース部３１の背面側には、防水パッキン５が配設されている。防水パッキン５は、軟質のポリ塩化ビニル材料から枠状に形成されており、ベース部３１の縁部に沿って配設されている。また、防水パッキン５の内周側には、コンセント本体１を壁面等に取付けるための絶縁性のサポート部材が配設されるようになっている。
したがって、防水コンセントが壁面等に取付けられた状態においては、防水パッキン５が壁面等に密着するようになり、防水性が維持されるようになる。
【００１８】
なお、外筐３における収容部３２の頂面には、各差込口３３に対応して抜け止め機構２の構成要素である係合子２４ａが弾性を付与されて、あるいは自身の弾性により少なくとも一部が外筐３から出没可能に設けられている。この係合子２４ａは、図示上、前方側から後方側へ向かって湾曲した傾斜面をなすガイド面２４ａ1と、このガイド面２４ａ1から下方に垂下するように形成された係合面２４ａ2とから構成されている。
【００１９】
次に、抜け止め機構２は、差込口３３に差し込まれた差込プラグＰの抜け止めをなす機能を有するものであり、ストッパ部材２２と、台座２３と、ラッチ機構２４と、リンク部材２５とを備えている。
【００２０】
図１及び図４に示すように、ストッパ部材２２は、略Ｌ字状に形成されていて、スライド面２２ａとストッパ面２２ｂとを有している。スライド面２２ａの裏面側には、複数の係合子２２ｃが突出して形成されている。係合子２２ｃは、前記外筐３に形成された係合子２４ａと同様な形態をなしており、この係合子２４ａと噛み合うように、係合子２４ａとは逆向きにガイド面２２ｃ１及び係合面２２ｃ2が形成されている。
すなわち、これら係合子２４ａ、係合子２２ｃによってラッチ機構２４が構成されるようになっている。
【００２１】
ストッパ面２２ｂは、差込口３３と対向するように配置されている。ストッパ面２２ｂは、略中央部に差込プラグＰのコードＣが挿通するコード逃げ用の切欠き２２ｄが形成されてフック状をなしている。
このように構成されたストッパ部材２２は、各差込口３３に対応して一対設けられている。
【００２２】
図３に代表して示すように、台座２３は、略長方形状をなし、外筐３における収容部３２の頂面に配置されるようになっている。この台座２３には、前記係合子２４ａに対応して凹部２３ａが形成されており、また、この凹部２３ａには、四角形状の開口部２３ｂが形成されている。したがって、この開口部２３ｂから係合子２４ａが突出するようになっている。
【００２３】
図４に示すように、ラッチ機構２４は、外筐３に形成された係合子２４ａとストッパ部材２２に形成された係合子２２ｃとによって構成されている。この係合子２４ａの係合面２４ａ2と係合子２２ｃの係合面２２ｃ2とが係合し噛み合うようになっている。
【００２４】
したがって、図示上、ストッパ部材２２は、右方向へスライドして移動可能であり、左方向へのスライド移動は阻止される。右方向へのスライド移動の場合は、係合子２４ａのガイド面２４ａ1が押圧されて係合子２４ａの少なくとも一部が外筐３の内部に没することとなる。よって、ガイド面２４ａ1上を係合子２２ｃのガイド面２２ｃ１が案内されて移動可能となる。一方、左方向へのスライド移動は、前記のように係合子２４ａの係合面２４ａ2と係合子２２ｃの係合面２２ｃ2とが係合し阻止される。
【００２５】
リンク部材２５は、台座２３をコンセント本体１に回動可能に連結する機能を有している。リンク部材２５は、線状材からなり、一端側がコンセント本体１に回動可能に取付けられ、他端側が台座２３の側壁に固定されている。また、このリンク部材２５は、台座２３の両側壁に設けられていて台座２３を後方に回動可能に連結している。
【００２６】
また、図１に示すように、ストッパ部材２２と台座２３とは、板ばね部材２６によって、相互に密着するように挟持され弾性保持するようにしてもよい。しかし、このような構成に限定されるものではない。具体的には、ストッパ部材２２のスライド面２２ａと台座２３との両側壁側に略コ字状に折曲形成された板ばね部材２６が装着されている。
次に、図５乃至図９を参照して本実施形態におけるコンセントの動作について説明する。
【００２７】
まず、図５に示すように、ストッパ部材２２は、後方側（図示上、右方向、破線で示す状態から実線で示す状態）にスライドして移動調整可能となっている。ストッパ部材２２を後方に移動操作することにより、ストッパ面２２ｂが差込口３３に近づき、ストッパ面２２ｂと差込口３３との距離が短くなって移動調整される。
【００２８】
この場合、図４を併せて参照して示すように、ストッパ部材２２の係合子２２ｃのガイド面２２ｃ１が係合子２４ａのガイド面２４ａ1上に案内され、これを乗り越えてストッパ部材２２がスライド移動するようになる。
【００２９】
一方、この状態からストッパ部材２２は、係合子２４ａの係合面２４ａ2と係合子２２ｃの係合面２２ｃ2とが係合しているため、前方側（図示上、左方向）へスライドして移動することはできない。すなわち、ストッパ部材２２は、所定の位置にラッチ機構２４によってロックされた状態となる。
【００３０】
図６は、コンセント本体１の差込口３３に差込プラグＰが接続された状態を示している。差込プラグＰは、一般的な平行プラグ形のものであり、略円筒状をなす差込プラグ本体Ｂと、この本体Ｂの一端側から平行に突出された電源端子用の栓刃Ｐｅ及びアース端子用の栓刃Ｐｅと、本体Ｂの他端側から導出されたコードＣとを備えている。
【００３１】
このような差込プラグＰの栓刃Ｐｅは、差込口３３に差し込まれ、電源側と電気的に接続されている。また、ストッパ部材２２がロックされ、差込プラグＰの抜け止めがなされている。
【００３２】
この状態においては、ストッパ部材２２のストッパ面２２ｂが差込プラグ本体Ｂの他端側に対向している。したがって、例えば、コードＣに引張り方向の力が作用して、差込プラグＰの栓刃Ｐｅに差込口３３から抜ける方向の力が働いたとしても、差込プラグＰは、ストッパ部材２２によって移動が阻止されているので、差込プラグＰが差込口３３から抜けるのを抑制することが可能となる。
【００３３】
また、差込プラグＰのコードＣは、ストッパ面２２ｂに形成された切欠き２２ｄを挿通している。このため、コードＣは、切欠き２２ｄの前面側（図示上、上側）の縁部によって、図示矢印で示すような前面側への動きが規制される。
【００３４】
したがって、仮に、コードＣに前面側方向への引張り力が作用しても差込プラグＰが差込口３３から抜けるのをより確実に抑制することができる。この場合、切欠き２２ｄは、コードＣの前面側への動きを規制する規制手段として機能する。
【００３５】
もっとも、ストッパ面２２ｂが、差込プラグ本体Ｂの他端側に対接している場合には、コードＣに前面側方向の引張り力が作用しても差込プラグＰの抜けを確実に防止できるので、例えば、切欠きｄは、ストッパ面２２ｂの下端から上端にわたって形成されていてもよい。
【００３６】
図７は、図６と同様に、コンセント本体１の差込口３３に差込プラグＰが接続された状態を示している。この差込プラグＰは、図６において示されたものより、差込プラグ本体Ｂの長さ寸法が短いタイプを示している。
【００３７】
したがって、ストッパ部材２２がスライドして移動調整され、ストッパ面２２ｂが差込プラグ本体Ｂの他端側に対向している。このため、このタイプの差込プラグＰにおいても差込プラグＰが差込口３３から抜けるのを抑制することが可能となる。
【００３８】
以上の図６及び図７に示すように、ストッパ部材２２は、差込プラグＰの栓刃Ｐｅの挿抜方向に位置調整が可能であり、差込プラグＰが差込口３３から抜けるのを抑制することができる。
さらに、図８及び図９を参照してストッパ部材２２のセット動作について説明する。
【００３９】
図８に示すように、ストッパ部材２２をリンク部材２５の一端側を支点として図示上、時計方向に回動する。なお、この回動及び／又は後述する反時計方向の回動には、ある程度の力を加えないと回動しないような弾性、磁石等からなる機構を付加しておくことが好ましい。この状態においては、ラッチ機構２４は解除され、つまり、係合子２４ａと係合子２２ｃとの係合が解除されるようになる。
【００４０】
したがって、図９に示すように、ストッパ部材２２は、板ばね部材２６によって、台座２３に保持されながら、図示矢印方向にスライド移動が可能となり、すなわち、差込プラグＰの栓刃Ｐｅの挿抜方向に位置調整が可能となる。この場合、主として、ストッパ部材２２は、ストッパ面２２ｂが差込口３３から離反する方向に移動調整される。
【００４１】
次いで、図５及び図６を併せて参照して示すように、差込口３３に差込プラグＰを接続し、ストッパ部材２２を反時計方向に回動して元の状態に復帰させる。この復帰状態において、必要に応じストッパ部材２２を後方側にスライドして移動して、ストッパ面２２ｂを差込プラグ本体Ｂの他端側に対向させるように操作する）。このようにストッパ部材２２のセット動作が完了する。
【００４２】
また、差込プラグＰを差込口３３から抜いて取外す場合には、上述と同様に、ストッパ部材２２をリンク部材２５の一端側を支点として時計方向に回動することにより行うことができる。
次に、図１０及び図１１を参照して上記本実施形態におけるコンセントの使用例について説明する。
【００４３】
図１０は、電気機器Ｅｍから導出された差込プラグＰがコンセントに接続されている状態を示している。また、差込プラグＰは抜け止め機構２によって抜け止めがなされている。
【００４４】
このような状態において、電源側からコンセント、差込プラグＰを介して電気機器Ｅｍに電力が供給される。この場合、電気機器Ｅｍは、充電式であっても非充電式であってもよく、本実施形態のコンセントは、充電式、非充電式を問わず、双方に適用可能である。
【００４５】
図１１は、電気自動車Ｅｖの充電用のコンセントとして用いられている場合を示している。また、前記と同様に、差込プラグＰは抜け止め機構２によって抜け止めがなされている。
【００４６】
この場合、例えば、差込プラグＰのコードＣの中間部には、充電コントローラＣｃが接続されている場合がある。このため、充電コントローラＣｃの重量が差込プラグＰの離脱方向（抜ける方向）に作用するが、抜け止め機構２が効果的に機能し、差込プラグＰの抜け止めをなすことが可能となる。
【００４７】
以上のように本実施形態によれば、長さ寸法が異なる複数種の差込プラグＰに対応が可能な差込プラグＰの抜け止め機能を有するコンセントを提供することができる。
また、差込プラグＰから導出されるコードＣの前面側への動きが規制されるので、差込プラグＰが差込口３３から抜けるのをより確実に抑制することができる。
【００４８】
さらに、差込口３３は、複数個設けられており、この複数個の差込口３３に対応して、それぞれストッパ部材２２が配設されているので、各差込口３３に長さ寸法が異なる複数種の差込プラグＰを同時に差し込んで使用することが可能となる。
【００４９】
なお、本発明は、上記実施形態の構成に限定されることなく、発明の要旨を逸脱しない範囲で種々の変形が可能である。例えば、抜け止め機構２は、上記実施形態の構成に限定されるものではない。差込プラグの挿抜時には、差込口を解放でき、差込プラグの差込時には、ストッパ部材が差込プラグ本体の他端側に対向し、差込プラグが差込口から抜けるのを抑制することが可能となる構成であればよい。このような抜け止め機構の具体的構成は、当業者であれば、任意に設計可能である。
また、差込口を複数個設ける場合、各差込口の形態を異なる形態とし、栓刃の形態が異なる複数種の差込プラグに対応できるようにしてもよい。
【００５０】
さらにまた、抜け止め機構が外部に露出しないように、差込プラグの差込口側を開口したカバーを設けるようにしてもよい。この場合、抜け止め機構の操作は、カバーの開口側から行われる。
【符号の説明】
【００５１】
１・・・コンセント本体、２・・・抜け止め機構、
３・・・外筐、４・・・コンセントボディ、
５・・・防水パッキン、２２・・・ストッパ部材、
２２ｄ・・・規制手段（切欠き）、２３・・・台座、
２４・・・ラッチ機構、２５・・・リンク部材、
２６・・・板ばね部材、３３・・・差込口、
Ｐ・・・差込プラグ、Ｂ・・・差込プラグ本体、
Ｐｅ・・・栓刃、Ｃ・・・コード
【図１】
2012238419.tif 000003
【図２】
2012238419.tif 000004
【図３】
2012238419.tif 000005
【図４】
2012238419.tif 000006
【図５】
2012238419.tif 000007
【図６】
2012238419.tif 000008
【図７】
2012238419.tif 000009
【図８】
2012238419.tif 000010
【図９】
2012238419.tif 000011
【図１０】
2012238419.tif 000012
【図１１】
2012238419.tif 000013